【手続補正書】
【提出日】平成27年7月2日(2015.7.2)
【手続補正１】
【補正対象書類名】明細書
【補正対象項目名】０００６
【補正方法】変更
【補正の内容】
【０００６】
前記課題を解決するため、本発明の撮像装置にあっては、被写体を撮像する撮像手段と、前記撮像手段により撮像された被写体画像内の第１のエリアにおける画像の変化状態を判別する第１の判別手段と、前記撮像手段により撮像された被写体画像内の前記第１のエリアとは異なる第２のエリアにおける画像の変化状態を判別する第２の判別手段と、前記第１の判別手段及び前記第２の判別手段の判別結果に応じて、前記撮像手段に撮影に向けた被写体の撮像を行わせる撮影制御手段とを備え、前記第１の判別手段による判別処理及び前記第２の判別手段による判別処理は、異なるエリアにおける同じ処理である、ことを特徴とする。
【手続補正２】
【補正対象書類名】特許請求の範囲
【補正対象項目名】全文
【補正方法】変更
【補正の内容】
【特許請求の範囲】
【請求項１】
被写体を撮像する撮像手段と、
前記撮像手段により撮像された被写体画像内の第１のエリアにおける画像の変化状態を判別する第１の判別手段と、
前記撮像手段により撮像された被写体画像内の前記第１のエリアとは異なる第２のエリアにおける画像の変化状態を判別する第２の判別手段と、
前記第１の判別手段及び前記第２の判別手段の判別結果に応じて、前記撮像手段に撮影に向けた被写体の撮像を行わせる撮影制御手段と
を備え、
前記第１の判別手段による判別処理及び前記第２の判別手段による判別処理は、異なるエリアにおける同じ処理である、
ことを特徴とする撮像装置。
【請求項２】
前記第１の判別手段の判別結果に応じて、動作状態を前記第２の判別手段による判別の待機状態に制御する状態移行手段を更に備え、
前記撮影制御手段は、前記状態移行手段により動作状態が前記第２の判別手段による判別の待機状態に制御された後に、前記第２の判別手段の判別結果に応じて、前記撮像手段に撮影に向けた被写体の撮像を行わせることを特徴とする請求項１記載の撮像装置。
【請求項３】
前記状態移行手段は、前記動作状態を更に撮影準備状態に制御することを特徴とする請求項２記載の撮像装置。
【請求項４】
前記第１の判別手段は、前記第１のエリアにおける画像の変化状態として、画像の変化度合が所定の度合以上であるか否かを判別し、
前記状態移行手段は、前記第１の判別手段により前記第１のエリアにおける画像の変化度合が所定の度合以上であると判別されたことを条件として動作状態を前記第２の判別手段による判別の待機状態に制御する
ことを特徴とする請求項２又は３記載の撮像装置。
【請求項５】
前記第１のエリアは複数であり、
前記第１の判別手段は、前記複数の第１のエリアにおける画像の変化状態を判別する
ことを特徴とする請求項２乃至４のいずれか記載の撮像装置。
【請求項６】
前記状態移行手段は、前記複数の第１のエリアのうちのいずれかについて所定の度合以上の画像の変化があると判別されたことを条件として、動作状態を前記第２の判別手段による判別の待機状態に制御することを特徴とする請求項５記載の撮像装置。
【請求項７】
前記撮影制御手段は、前記第１の判別手段により、前記複数の第１のエリアのうちで所定の度合以上の画像の変化があると判別された特定の第１のエリアに対応する撮影設定で撮影を実行することを特徴とする請求項６記載の撮像装置。
【請求項８】
前記状態移行手段は、前記複数の第１のエリアの全てについて所定の度合以上の画像の変化があると判別されたことを条件として、動作状態を前記第２の判別手段による判別の待機状態に制御することを特徴とする請求項５記載の撮像装置。
【請求項９】
前記状態移行手段は、前記複数の第１のエリアの全てについて、所定の順番で、所定の度合以上の画像の変化があると判別されたことを条件として、動作状態を前記第２の判別手段による判別の待機状態に制御することを特徴とする請求項５記載の撮像装置。
【請求項１０】
前記撮影制御手段は、前記第１の判別手段により前記複数の第１のエリアの全てが所定の度合以上の画像の変化があると判別された順番に応じ、当該順番に対応する撮影設定で撮影を実行することを特徴とする請求項９記載の撮像装置。
【請求項１１】
前記第２の判別手段は、前記第２のエリアにおける画像の変化状態として、画像の変化度合が所定の度合以上であるか否かを判別し、
前記撮影制御手段は、前記第２の判別手段により前記第２のエリアにおける画像の変化度合が所定の度合以上であると判別されたことを条件として、前記撮像手段に撮影に向けた被写体の撮像を行わせる
ことを特徴とする請求項２乃至１０いずれか記載の撮像装置。
【請求項１２】
前記第２の判別手段は、前記第２のエリアにおける画像の変化状態として、画像の変化度合が所定の度合以上であるか否かを判別し、
前記撮影制御手段は、前記第２の判別手段により前記第２のエリアにおける画像の変化度合が、所定時間以上、所定の度合未満であると判別されたことを条件として、前記撮像手段に撮影に向けた被写体の撮像を行わせる
ことを特徴とする請求項２乃至１０いずれか記載の撮像装置。
【請求項１３】
前記撮影制御手段は、前記第２の判別手段により前記第２のエリアにおける画像の変化度合が所定の度合以上であると判別されてから所定時間後に、前記撮像手段に撮影に向けた被写体の撮像を行わせることを特徴とする
ことを特徴とする請求項２乃至１０いずれか記載の撮像装置。
【請求項１４】
前記第２の判別手段により前記第２のエリアにおける画像の変化度合が所定の度合以上であると判別されてから所定時間後に、前記第２のエリアにおける画像の変化度合が所定の度合未満であるか否か判別する第３の判別手段を更に備え、
前記撮影制御手段は、前記第３の判別手段により前記第２のエリアにおける画像の変化度合が所定の度合未満であると判別されたことを条件として、前記撮像手段に撮影に向けた被写体の撮像を行わせる
ことを特徴とする請求項２乃至１０いずれか記載の撮像装置。
【請求項１５】
前記第１の判別手段により第１のエリアに画像に変化状態があると判別されてから、前記第２の判別手段により第２のエリアに画像に変化状態があると判別されるまでの時間を計測する計測手段をさらに備え、
前記撮影制御手段は、前記計測手段による計測結果に応じたタイミングで、前記撮像手段に撮影に向けた被写体の撮像を行わせる
ことを特徴とする請求項１記載の撮像装置。
【請求項１６】
前記計測手段による計測結果に基づいて、前記第１のエリア及び前記第２のエリアを通過した任意の被写体の移動速度を算出する算出手段をさらに備え、
前記撮影制御手段は、前記算出手段により算出された移動速度に応じたタイミングで、前記撮像手段に撮影に向けた被写体の撮像を行わせる
ことを特徴とする請求項１５記載の撮像装置。
【請求項１７】
任意の被写体が前記第２のエリアから画像外へ移動するまでの所要時間を推測する推測手段をさらに備え、
前記撮影制御手段は、前記第２の判別手段により第２のエリアに画像に変化状態があると判別されてから、前記推測手段により推測された所要時間が経過したタイミングで、前記撮像手段に撮影に向けた被写体の撮像を行わせる
ことを特徴とする請求項１５又は１６記載の撮像装置。
【請求項１８】
被写体へ向けて補助光を照射するととともに、前記撮像手段における、前記第１の判別手段による判別動作の対象となる被写体画像、及び前記第２の判別手段による判別動作の対象となる被写体画像の撮像期間とは異なる期間における被写体の明るさの確保を目的として用意された発光手段と、
被写体の明るさを検出する検出手段と、
前記検出手段により検出された被写体の明るさが所定の明るさを下回っているか否かを判別する判別手段と、
前記判別手段により被写体の明るさが所定の明るさを下回っていると判別されたことを条件として、前記発光手段に、前記撮像期間に補助光を継続的に発光させる発光制御手段と
をさらに備えたことを特徴とする請求項１乃至１７いずれか記載の撮像装置。
【請求項１９】
被写体を撮像する撮像手段を備えた撮像装置における撮影方法において、
前記撮像手段により撮像された被写体画像内の第１のエリアにおける画像の変化状態を判別する処理と、
前記撮像手段により撮像された被写体画像内の前記第１のエリアとは異なる第２のエリアにおける画像の変化状態を判別する処理と、
前記第１のエリア及び前記第２のエリアにおける画像の変化状態の判別結果に応じて、前記撮像手段に撮影に向けた被写体の撮像を行わせる処理と
を含み、
前記第１のエリア及び前記第２のエリアにおける画像の変化状態の判別処理は、異なるエリアにおける同じ処理である、
ことを特徴とする撮影方法。
【請求項２０】
被写体を撮像する撮像手段を備えた撮像装置が有するコンピュータに、
前記撮像手段により撮像された被写体画像内の第１のエリアにおける画像の変化状態を判別する第１の判別機能と、
前記撮像手段により撮像された被写体画像内の前記第１のエリアとは異なる第２のエリアにおける画像の変化状態を判別する第２の判別機能と、
前記第１の判別機能及び前記第２の判別機能の判別結果に応じて、前記撮像手段に撮影に向けた被写体の撮像を行わせる撮影制御機能と
を実現させ、
前記第１の判別機能による判別処理及び前記第２の判別機能による判別処理は、異なるエリアにおける同じ処理である、
ことを特徴とするプログラム。